(57)【要約】【課題】回転金型装置において、精密なクリアランスでの加工や深い成形加工を可能にし、また、回転金型装置が大型化するのを防止する。【解決手段】回転金型装置１は、上型用無限軌道１７と、一部が上型用無限軌道１７の一部に対して平行に配置される下型用無限軌道１９と、上型用無限軌道１７に搭載され、駆動用カムが固定される上型と、下型用無限軌道１９に搭載される下型と、上型用無限軌道の前記一部に沿って配置され、前記駆動用カムに接触して上型を下型に近づく方向に変位させる固定カムと、を備える。【選択図】図１Ａ
2015085373.tif 000002
【特許請求の範囲】
【請求項１】
第１の無限軌道と、
一部が前記第１の無限軌道の一部に対して平行に配置される第２の無限軌道と、
前記第１の無限軌道に搭載され、第１の駆動用カムが固定される第１の金型と、
前記第２の無限軌道に搭載される第２の金型と、
前記第１の無限軌道に沿って配置され、前記第１の駆動用カムに接触して前記第１の金型を前記第２の金型に近づく方向に変位させる第１の固定カムと、
を備えたことを特徴とする回転金型装置。
【請求項２】
請求項１に記載の回転金型装置であって、
前記第２の金型には第２の駆動用カムが固定されており、
前記第２の無限軌道に沿って配置され、前記第２の駆動用カムに接触して前記第２の金型を前記第１の金型に近づく方向に変位させる第２の固定カムと、
を備えたことを特徴とする回転金型装置。
【請求項３】
請求項２に記載の回転金型装置であって、
前記第２の固定カムは、前記第２の無限軌道に対して平行な部分と、前記第２の無限軌道に対して傾斜する部分とから構成される、
ことを特徴とする回転金型装置。
【請求項４】
請求項１から３のいずれかに記載の回転金型装置であって、
前記第１の固定カムは、前記第１の無限軌道に対して平行な部分と、前記第１の無限軌道に対して傾斜する部分とから構成される、
ことを特徴とする回転金型装置。
【請求項５】
請求項１から４のいずれかに記載の回転金型装置であって、
前記第１の無限軌道には、前記第１の金型の隣に第１の押さえ部が搭載され、
前記第２の無限軌道には、前記第２の金型の隣に第２の押さえ部が搭載され、
前記第１の無限軌道と前記第２の無限軌道とが平行に配置される領域において、前記第１の押さえ部と前記第２の押さえ部とによって被加工材を挟持する、
ことを特徴とする回転金型装置。
【請求項６】
請求項１から５のいずれかに記載の回転金型装置であって、
前記第１の金型及び前記第２の金型の一方にはガイドピンが設けられており、
前記第１の金型及び前記第２の金型の他方には、前記第１の金型が前記第２の金型に近づくと前記ガイドピンが嵌合するガイド穴が形成される、
ことを特徴とする回転金型装置。
【発明の詳細な説明】
【技術分野】
【０００１】
本発明は、金型を無限軌道に搭載して回転可能にした機構を上下１対組み合わせ、その間に金属素材を通過させることで金属素材に種々の成形加工を行う回転金型装置に関する。
【背景技術】
【０００２】
近年、コストダウンの要求から加工の高速化が求められており、塑性加工の分野では、従来の間欠加工のプレス方式ではない回転金型装置を用いた連続加工の成形方式が提案されている。
【０００３】
例えば、特許文献１に開示される回転金型装置では、揺動可能な金型支持体を主軸周りに回転運動させながらカム機構を用いて金型支持体の向きを変えることにより、加工点だけでなく上下の金型が被加工材と接触する直前直後でも概ね水平になるように制御して、加工点（型閉点）付近での金型の回転の周速度と被加工材の送り速度の差が極力小さくなるようにしている。これにより、加工点前後での金型の周速度（線速度）と被加工材の送り速度の不一致が原因となって起こる加工精度の低下を抑えている。
【先行技術文献】
【特許文献】
【０００４】
【特許文献１】米国特許第６３３９９４７号明細書
【発明の概要】
【発明が解決しようとする課題】
【０００５】
特許文献１に記載された回転金型装置では、加工点（型閉点）の前後付近で金型の周速度（線速度）と被加工材の送り速度を概ね一致させることは出来るが、厳密には速度の一致点は加工点の１点しかないため、精密なクリアランスでの加工や深い成形加工には対応することができない。
【０００６】
また、成形加工力が回転軸に直接作用するので、大きな加工力を必要とする成形加工の場合には、回転軸の強度を保つために回転軸を太くしなければならず、回転金型装置が大型化してしまう。
【０００７】
本発明は、このようが技術的課題に鑑みてなされたもので、回転金型装置において、精密なクリアランスでの加工や深い成形加工を可能にし、また、回転金型装置が大型化するのを防止することを目的とする。
【課題を解決するための手段】
【０００８】
本発明のある態様によれば、第１の無限軌道と、一部が前記第１の無限軌道の一部に対して平行に配置される第２の無限軌道と、前記第１の無限軌道に搭載され、第１の駆動用カムが固定される第１の金型と、前記第２の無限軌道に搭載される第２の金型と、前記第１の無限軌道の前記一部に沿って配置され、前記第１の駆動用カムに接触して前記第１の金型を前記第２の金型に近づく方向に変位させる第１の固定カムと、を備えたことを特徴とする回転金型装置が提供される。
【発明の効果】
【０００９】
上記態様によれば、金型の送り速度と材料の送り速度とを広い範囲で一致させ、加工点（型閉点）前後の広い範囲に渡って上下の金型を水平に保ちながら加工を行うことができるので、精密なクリアランスでの加工や深い成形加工を含む、種々の成形加工に対応することができる。
【００１０】
また、成形加工力は固定カムに作用し、無限軌道の回転軸には作用しないので、回転軸の強度を保つために回転軸を太くする必要がなくなり、装置が大型化するのを抑えることができる。
【図面の簡単な説明】
【００１１】
【図１Ａ】本発明の実施形態に係る回転金型装置の斜視図である。
【図１Ｂ】上型用回転金型機構の斜視図である。
【図１Ｃ】下型用回転金型機構の斜視図である。
【図２Ａ】上型用躯体の斜視図である。
【図２Ｂ】下型用躯体の斜視図である。
【図３】無限軌道の斜視図である。
【図４Ａ】上型用無限軌道に上型パンチプレートと材料押さえ部を搭載した状態の斜視図である。
【図４Ｂ】下型用無限軌道に下型ダイプレートと材料押さえ部を搭載した状態の斜視図である。
【図５Ａ】上型用無限軌道及び下型用無限軌道を、それらの進行方向に対して直交する面で切った断面図であり、材料押さえ部と材料ガイドとがかみ合った状態を示している。
【図５Ｂ】図５ＡのＶＢ−ＶＢ断面図である。
【図６】材料ガイドと材料押さえ部の相対的な動作を示した図である。
【図７Ａ】金型の側面図であり、金型が開いた状態を示している。
【図７Ｂ】金型が正面図であり、金型が開いた状態を示している。
【図８Ａ】金型の側面図であり、金型が閉じた状態を示している。
【図８Ｂ】金型の正面図であり、金型が閉じた状態を示している。
【図９Ａ】上型パンチプレートの平面図である。
【図９Ｂ】下型ダイプレートの平面図である。
【図１０Ａ】金型の上下方向の動きをどのように発生させているかを説明するための図である。
【図１０Ｂ】図１０ＡのＸＢ−ＸＢ断面図である。
【図１１】金型の動作を力学的視点から説明するための図である。
【図１２】固定カムの変形例を示した図である。
【図１３Ａ】固定カムの組み合わせの例を示した図である。
【図１３Ｂ】固定カムの組み合わせの別の例を示した図である。
【図１４Ａ】下型取付板に取り付けられるカムフォロアを説明するための図である。
【図１４Ｂ】カムフォロアが挿入される経路の構成を示した図である。
【図１４Ｃ】カムフォロアが経路に挿入された状態を示した図である。
【図１４Ｄ】カムフォロアが経路に挿入された状態を示す立体図である。
【図１５】チェーンの上下振幅を説明するための図である。
【図１６Ａ】チェーンに必要とされる遊び及びスキマを説明するための図である。
【図１６Ｂ】チェーンに必要とされる遊び及びスキマを説明するための図である。
【図１７】回転金型装置を生産設備に適用した例を示した図である。
【図１８】図１７の生産設備で生産できる製品形状の例を示した図である。
【発明を実施するための形態】
【００１２】
以下、添付図面を参照しながら本発明の実施形態について説明する。
【００１３】
図１Ａは本発明の実施形態に係る回転金型装置１の斜視図である。回転金型装置１は、上型用回転金型機構１００と下型用回転金型機構２００とを備える。図１Ｂ、図１Ｃは、分かり易くするために、上型用回転金型機構１００と下型用回転金型機構２００とを、それぞれ単独で示したものである。
【００１４】
金属素材３００が入口側ガイド９から回転金型装置１内に挿入されると、金属素材３００は、上型用回転金型機構１００に組み込まれた上型と下型用回転金型機構２００に組み込まれた下型とに挟まれて絞り等の所要の成形加工を受け、出口側ガイド１０から排出される。
【００１５】
上型用無限軌道１７は、駆動軸２と従動軸５との間に巻き掛けられる。上型用無限軌道１７の張り調整はテンショナー７によって行われる。同様に、下型用無限軌道１９は、駆動軸３と従動軸６との間に巻き掛けられる。下型用無限軌道１９の張り調整はテンショナー８によって行われる。上型用無限軌道１７の下側部分と下型用無限軌道１９の上側部分とは、回転金型装置１の内部において平行に配置される。
【００１６】
回転金型装置１には、上型用無限軌道１７と下型用無限軌道１９とを同期させる為に歯車列４が設けられている。上型用無限軌道１７と下型用無限軌道１９とを互いに反対方向に駆動すると、金型の送りと金属素材３００の送りとが行われる。
【００１７】
上下の駆動軸２、３の手前側にはクランクハンドル（図示せず）の穴に勘合する形状で面取りが施されており、ここにクランクハンドルを差し込んで手回しで型合わせや成形トライが出来る様になっている。
【００１８】
上下の駆動軸２、３の図中奥側は、それぞれカップリングを介して駆動モータ１１に連結される。駆動モータ１１には、加工トルクを上げる為に、減速機が取り付けられる。上型用回転金型機構１００と下型用回転金型機構２００との間には、金型の動きを確認する為ののぞき窓１２が形成される。
【００１９】
回転金型装置１に対する理解を深める為に、回転金型装置１を分解した図を用いて構造の詳細を述べる。
【００２０】
図２Ａは、上型用回転金型機構１００の上型用躯体１００ｂを示しており、図２Ｂは、下型用回転金型機構２００の下型用躯体２００ｂを示している。
【００２１】
上型用躯体１００ｂは、図２Ａに示す様に、前プレート１０１と、後プレート１０２と、それらを四隅で連結するシャフト１０３とで箱型に構成される。上型用躯体１００ｂの中央部には、後述の上型用固定カム３５ａ（図１０Ａ参照）を設置する受け板１０４が、前プレート１０１と後プレート１０２との間にインローで組み込まれていて、上型の成形荷重を受ける役割をする。前プレート１０１には上型用無限軌道１７の駆動軸２を設置する穴１０１ａと従動軸５を設置する穴１０１ｂとが形成される。
【００２２】
下型用躯体２００ｂも同様に、図２Ｂに示す様に、前プレート２０１と、後プレート２０２と、それらを四隅で連結するシャフト２０３で箱型に構成される。上型用躯体１００ｂの中央部には、後述の下型用固定カム３５ｂ（図１０Ａ参照）を設置する受け板２０４が、前プレート２０１と後プレート２０２との間にインローで組み込まれていて、下型の成形荷重を受ける役割をする。前プレート２０１には、下型用無限軌道１９の駆動軸３を設置する穴２０１ａと従動軸６を設置する穴２０１ｂとが形成される。
【００２３】
下型用躯体２００ｂの底面には、さらに回転金型装置１の全体を図示しない装置設置台に固定する為の取付板２０５が取り付けられる。また、下型用躯体２００ｂには、上型用躯体１００ｂと下型用躯体２００ｂとを組み合わせるときの位置決め用の平行キー２０６が埋め込まれている。上型用躯体１００ｂと下型用躯体２００ｂとは、上型用躯体１００ｂにあけたボルト穴１０１ｃに通した締結ボルト（図示せず）を、下型用躯体２００ｂにあけたタップ穴２０１ｃにねじ込むことで一体化される。
【００２４】
図３は、下型用無限軌道１９の斜視図である。図示は省略するが、上型用無限軌道１７も同一の構造である。
【００２５】
上型用無限軌道１７及び下型用無限軌道１９は、チェーン１４とスプロケット１３とで構成される。チェーン１４には、金型や材料ガイドを取り付け出来る様に、アタッチメント１５が取り付けられている。チェーン１４は、この装置で生産される製品に要求される製品ピッチや、製品精度、及び成形加工力等を考慮して市販品から要求を満足できる物を選択したり、特注品として製作する。
【００２６】
チェーン１４は２本１組で使用され、駆動軸３（又は駆動軸２）に間隔を空けて固定された２個のスプロケット１３と、従動軸６（又は従動軸５）に間隔を空けて固定された２個のスプロケット１３との間に掛けて使用する。駆動軸３（又は駆動軸２）と従動軸６（又は従動軸５）には、軸受け１６が取り付けられ、軸受け箱を介して図２Ｂに示す下型用躯体２００ｂ（又は上型用躯体１００ｂ）に組み込まれる。実際の組み付けでは、駆動軸３（又は駆動軸２）と従動軸６（又は従動軸５）とを下型用躯体２００ｂ（又は上型用躯体１００ｂ）に組み付けてからチェーン１４が巻きつけられる。
【００２７】
尚、本実施形態では無限軌道としてチェーン１４を利用しているが、無限軌道になるものであればチェーン１４でなくてもよい。例えば金型取り付け用のアタッチメント付けたベルトやタイミングベルトでも良い。
【００２８】
図４Ａは、上型用無限軌道１７に上型としての上型パンチプレート２３と材料押さえ部１８とを搭載した状態の斜視図であり、図４Ｂは、下型用無限軌道１９に下型としての下型ダイプレート３１と材料ガイド２０とを搭載した状態の斜視図である。
【００２９】
上型パンチプレート２３、材料押さえ部１８、下型ダイプレート３１及び材料ガイド２０は、それぞれ２本のチェーン１４をまたぐ様に２本のチェーンに載置され、図示しないボルト及びナットによってアタッチメント１５に固定される。上型パンチプレート２３、材料押さえ部１８、下型ダイプレート３１及び材料ガイド２０がアタッチメント１５に対してそれぞれ正しい位置に固定されるように、位置決めピンを利用するようにしてもよい。上型パンチプレート２３と材料押さえ部１８との間隔、及び、下型ダイプレート３１と材料ガイド２０との間隔は、生産する製品の生産ピッチに合わせられる。場合によっては、チェーン１４のピッチから逆に製品の生産ピッチが決定される。
【００３０】
図５Ａは、上型用無限軌道１７及び下型用無限軌道１９を、それらの進行方向に対して直交する面で切った断面図であり、図５Ｂは、図５ＡのＶＢ−ＶＢ断面である。それぞれ、材料押さえ部１８と材料ガイド２０とがかみ合った状態を示している。
【００３１】
下型用無限軌道１９に搭載される材料ガイド２０は、金属素材３００の送り高さと幅方向の位置を規制する。材料ガイド２０に形成される穴２０ａは軽量化の為の穴である。
【００３２】
上型用無限軌道１７に搭載される材料押さえ部１８は、吊りボルト１８ｂとスプリング１８ｃで可動可能な押し駒１８ａを有しており、スプリング１８ｃの力で金属素材３００を押し駒１８ａと材料ガイド２０との間に挟み込んで、上型用無限軌道１７及び下型用無限軌道１９の進行と一緒に金属素材３００を送る。すなわち、材料押さえ部１８と材料ガイド２０との組は、材料送り装置としても機能する。
【００３３】
また、押し駒１８ａ及び材料ガイド２０の金属素材３００に接する面は、図５Ｂに示す様に、それぞれ、所定の曲率半径Ｒを有する曲面で構成される。曲率半径Ｒは、スプロケット１３の中心から金属素材３００の表面までの距離（図６参照）に等しくなるように設定される。
【００３４】
図６は材料押さえ部１８と材料ガイド２０との相対的な動作を示した図である。曲率半径Ｒが上記の通り設定されているので、材料押さえ部１８と材料ガイド２０とがスプロケット１３の中心を回りながら金属素材３００に近づいて金属素材３００を挟み込む時であっても、互いの角が強く干渉することがなく、金属素材３００が傷つけられるのが防止される。
【００３５】
なお、本実施形態では、上型用無限軌道１７及び下型用無限軌道１９に材料押さえ部１８と材料ガイド２０とを搭載することで、上型用無限軌道１７及び下型用無限軌道１９に材料送り機能を持たせているが、材料送り機能は回転金型装置１とは別に設けられた装置、例えば回転金型装置１の上流側と下流側に配置された送り装置によって実現してもよい。
【００３６】
続いて、金型（上型パンチプレート２３及び下型ダイプレート３１）の構造について説明する。
【００３７】
図７Ａは金型が開いた状態の側面図で、図７Ｂはその正面図である。また、図８Ａは金型が閉じた状態の側面図で、図８Ｂはその正面図である。また、図９Ａは上型パンチプレート２３の平面図で、図９Ｂは下型ダイプレート３１の平面図である。
【００３８】
金型が開いた状態では、図７Ａ、図７Ｂに示す様に、上型パンチプレート２３と下型ダイプレート３１との間の中間位置に、金属素材３００が材料押さえ部１８と材料ガイド２０とによって保持されている。上型取付板２１はチェーン１４に固定され、上型パンチプレート２３と上型受板２２とは、ノックピン３３とボルト３４により２枚１組で固定されている。上型受板２２には、上型駆動用カム２４ａと上型引き戻しボルト２５ａとが固定されている。
【００３９】
上型引き戻しボルト２５ａには上型取付板２１を挟んでスプリング２６が組み込まれ、座金とナットのセット２７で留められている。上型引き戻しボルト２５ａとそれが嵌合する上型取付板２１の穴とは滑らかに摺動可能な嵌めあいになっており、上型駆動用カム２４ａが貫通する上型取付板２１の穴は逃がしてある。
【００４０】
このような構造により、上型駆動用カム２４ａが後述する上型用固定カム３５ａに押されると、上型パンチプレート２３と上型受板２２との組が上型取付板２１から離れて行く。そして、この状態から上型駆動用カム２４ａを押す力を緩めると、スプリング２６によって上型パンチプレート２３と上型受板２２との組が上型取付板２１に引き戻される。図８Ａに示すＺ１が上型パンチプレート２３の移動ストロークに対応する。
【００４１】
同様に、下型取付板２９はチェーン１４に固定され、下型ダイプレート３１と下型受板３０とは、ノックピン３３とボルト３４とにより２枚１組で固定されている。下型受板３０には下型駆動用カム２４ｂと下型引き戻しボルト２５ｂとが固定されている。
【００４２】
下型引き戻しボルト２５ｂには下型取付板２９を挟んでスプリング２６が組み込まれ、座金とナットのセット２７で留められている。下型引き戻しボルト２５ｂとそれが嵌合する下型取付板２９の穴とは滑らかに摺動可能な嵌めあいになっており、下型駆動用カム２４ｂが貫通する下型取付板２９の穴は逃がしてある。
【００４３】
このような構造により、下型駆動用カム２４ｂが後述する下型用固定カム３５ｂに押されると、下型ダイプレート３１と下型受板３０との組が下型取付板２９から離れて行く。そして、この状態から下型駆動用カム２４ｂを押す力を緩めると、スプリング２６によって下型ダイプレート３１と下型受板３０との組が下型取付板２９に引き戻される。図８Ａに示すＺ２が下型ダイプレート３１の移動ストロークに対応する。
【００４４】
下型ダイプレート３１に固定されたガイドピン３２と、上型パンチプレート２３に固定されたガイドブシュ２８とは、互いに精密に勘合し、上型パンチプレート２３と下型ダイプレート３１との位置決めを行う。
【００４５】
金型が閉じた状態では、金属素材３００は、上型パンチプレート２３と下型ダイプレート３１とによって押し切られ、所要の形状に成形される。
【００４６】
続いて、金型（上型パンチプレート２３及び下型ダイプレート３１）の動きについて説明する。
【００４７】
図１０Ａは、チェーン１４に搭載された金型が、上下方向の動きをどのように発生させているかを説明するものである。図１０Ｂは、図１０ＡのＸＢ−ＸＢ断面を示している。上型用固定カム３５ａと下型用固定カム３５ｂとは、それぞれ上型用無限軌道１７、下型用無限軌道１９に沿って配置され、図中の（Ａ）の地点から（Ｅ）の地点に至る領域において、（Ｃ）の地点を頂点とする山形のカム面３６ａ、３６ｂをそれぞれ有している。
【００４８】
動きを詳述すると、チェーン１４の進行に伴って、上型パンチプレート２３、下型ダイプレート３１、及び、金属素材３００が同期して移動して来て、（Ａ）の地点に来た時に、上型駆動用カム２４ａと下型駆動用カム２４ｂとがそれぞれ対応する上下の固定カム３５ａ、３５ｂに接触する。
【００４９】
（Ａ）の地点から更にチェーン１４が進行すると、上型駆動用カム２４ａと下型駆動用カム２４ｂとが、それぞれ固定カム３５ａ、３５ｂの傾斜したカム面によって押され、上型パンチプレート２３と下型ダイプレート３１とがそれぞれ近づく方向に移動し、上型パンチプレート２３の成形面と下型ダイプレート３１の成形面とが徐々に接近する。
【００５０】
（Ｂ）の地点に至ると、ガイドブシュ２８とガイドピン３２が勘合し始め、上型パンチプレート２３と下型ダイプレート３１とが正確に位置決めされる。
【００５１】
更に進行すると、上型パンチプレート２３と下型ダイプレート３１とが更に押し出されるので、上型パンチプレート２３と下型ダイプレート３１とが金属素材３００を挟み込み、成形加工が開始される。
【００５２】
（Ｃ）の地点に来た時に、上型駆動用カム２４ａと下型駆動用カム２４ｂは、それぞれ固定カム３５ａ、３５ｂの頂上に達して、上型パンチプレート２３及び下型ダイプレート３１の移動量は最大となり、互いの成形面が金属素材３００を挟んで押し切って閉じ、「型閉じ」状態になって金属素材３００への形状付与が完了する。
【００５３】
その後チェーン１４の進行に伴って更に進むと、固定カム３５ａ、３５ｂの傾斜角がそれぞれ負になるので、スプリング２６によって上型パンチプレート２３及び下型ダイプレート３１がそれぞれ引き戻されて、「型開き」が開始する（（Ｄ）の地点）。その後、（Ｅ）の地点に達すると、上型パンチプレート２３及び下型ダイプレート３１の引き戻しが完了し、成形加工が施された金属素材３００から上型パンチプレート２３及び下型ダイプレート３１が完全に分離される。
【００５４】
（Ｅ）の地点に至ると、上型パンチプレート２３及び下型ダイプレート３１は、それぞれチェーン１４とともにスプロケット１３を回って再び（Ａ）の地点に戻り、成形のサイクルを繰り返す。
【００５５】
図１１は、上記金型の動作を力学的視点から説明するものである。
【００５６】
図１１では、下型ダイプレート３１、下型用固定カム３５ｂ、下型駆動用カム２４ｂ、スプロケット１３、及びチェーン１４が簡略化して示されている。チェーン１４の張力をＦ、下型ダイプレート３１の進行方向の微少変位をｄｘ、上下方向の微少変位をｄｙとすれば、仮想仕事の原理より、
Ｆ・ｄｘ＝Ｗ・ｄｙ                  ・・・（１）
の関係が成立する。下型用固定カム３５ｂのカム角度をθとすれば、ｄｙ／ｄｘ＝ｔａｎθであるので、下型ダイプレート３１の成形力Ｗは、
Ｗ＝Ｆ・１／ｔａｎθ                ・・・（２）
で表すことができる。
【００５７】
また、チェーン１４の張力Ｆは、駆動軸３のトルクをＴ、スプロケット１３の半径をＲとすれば、
Ｆ＝Ｔ／Ｒ                          ・・・（３）
で表すことができる。
【００５８】
式（３）を式（２）のＦに代入すれば、下型ダイプレート３１の成形力Ｗは、
Ｗ＝Ｔ／（Ｒ・ｔａｎθ）            ・・・（４）
と表すことができる。
【００５９】
式（４）によれば、下型ダイプレート３１の成形力Ｗは、駆動軸３のトルクＴに比例し、スプロケット１３の半径Ｒに反比例することが分かる。
【００６０】
また、式（２）によれば、摩擦力を無視すると、下型用固定カム３５ｂのカム角度θを４５度に設定すれば下型ダイプレート３１の成形力Ｗが張力Ｆに等しくなり、４５度未満に設定すれば、下型ダイプレート３１の成形力Ｗを張力Ｆよりも大きく出来ることが分かる。即ち、下型用固定カム３５ｂのくさび増力効果により小さな力で大きな力を生み出すことができる。
【００６１】
例えば、下型用固定カム３５ｂのカム角度θを５度に設定すると出力は１１．４倍となり、２度に設定すると出力は２８．６倍になる。これにより、駆動モータ１１のトルクが小さくても十分な下型ダイプレート３１の成形力Ｗを得ることができ、駆動モータ１１に要求されるトルクを下げることができる。
【００６２】
図１２は、下型用固定カム３５ｂの変形例を示している。変形例では最初に大きな勾配θａで下型ダイプレート３１を早送りで上方に送り、途中から勾配をθｂに小さくして下型ダイプレート３１をゆっくり上方に送るように下型用固定カム３５ｂのカム面を構成している。
【００６３】
つまり、図１２は、下型用固定カム３５ｂのカム面の勾配変化によって下型ダイプレート３１の上下方向の送り速度を制御できることを示しており、これにより加工する製品の形状や、加工目的に応じた加工速度を設定出来ることが分かる。
【００６４】
同様に、上型パンチプレート２３の上下方向の送り速度についても、上型用固定カム３５ａのカム面の勾配変化によって制御することができる。
【００６５】
また、図１３Ａ、図１３Ｂに上型用固定カム３５ａと下型用固定カム３５ｂとの組合せの例を示す。
【００６６】
図１３Ａは、下型ダイプレート３１が上昇して一定高さで待ち構えているところに、上型パンチプレート２３が徐々に下降してくるという動きが実現される例を示している。また図１３Ｂは、上型パンチプレート２３が２回下降して成形すること、つまり、リストライク加工の動きが実現できる例を示している。
【００６７】
このように、本実施形態に係る回転金型装置１によれば、上型用固定カム３５ａの形状と下型用固定カム３５ｂの形状とをそれぞれ別々に設定することにより、上型パンチプレート２３の上下方向の送りタイミングと下型ダイプレート３１の上下方向の送りタイミングとを、加工目的に応じて、それぞれ別々に制御することができる。
【００６８】
また、上型パンチプレート２３及び下型ダイプレート３１の送り速度と金属素材３００の送り速度とを広い範囲で一致させ、加工点（型閉点）前後の広い範囲に渡って上型パンチプレート２３及び下型ダイプレート３１を水平に保ちながら加工を行うことができるので、精密なクリアランスでの加工や深い成形加工を含む、種々の成形加工に対応することができる。
【００６９】
また、成形加工力は上型用固定カム３５ａと下型用固定カム３５ｂとに作用し、駆動軸２、３及び従動軸５、６には作用しない。これにより、これら回転軸の強度を保つためにこれら回転軸を太くする必要がなくなり、回転金型装置１が大型化するのを抑えることができる。
【００７０】
なお、ここでは、上型用固定カム３５ａと下型用固定カム３５ｂとがいずれも傾斜面を有する構成について説明したが、いずれかを平坦面のみで構成し、対応する金型に作用する成形荷重を受ける機能だけを持たせる様にしてもよい。この場合、一方の金型のみが上下動することになる。
【００７１】
また、図１６Ａ、図１６Ｂに示す様に、チェーン１４は、ローラ１４ｒと継手プレート１４ｊから成るリンク１４ｌが多数連結して構成され、これがスプロケット１３を介して回転するときはスプロケット１３の歯数と同じ多角形をなして回転する。この為、回転中のチェーン１４はスプロケット１３の中心から多角形の辺までの距離を最小とし、スプロケット１３の中心から多角形の頂点までの距離を最大とする振れ幅を持って回転する（図１５参照）。
【００７２】
また、実用上、チェーン１４は、スプロケット１３の軸間方向で遊び（たるみ）が必要であり、またスプロケット１３とチェーン１４のかみ合わせの幅方向でもスキマが必要となる（図１６Ｂ参照）。
【００７３】
このため、上型パンチプレート２３及び下型ダイプレート３１が上下左右に振動しようとするが、本実施形態に係る回転金型装置１は、以下に説明する構造によって、その振動を抑え、上型パンチプレート２３及び下型ダイプレート３１の姿勢を安定させる。
【００７４】
具体的には、図１４Ａに示す様に、下型ダイプレート３１が取り付けられる下型取付板２９の四隅に上下方向の振れを規制するカムフォロア３７が取り付けられ、下型取付板２９の左右に左右方向の振れを規制するカムフォロア３８が取り付けられる。
【００７５】
図１４Ｂは、カムフォロア３７が挿入される経路４０の構成を示す。経路４０は、下型用回転金型機構２００の後プレート２０２の内壁に取り付けたガイドプレート３９よって形成され、カムフォロア３７は経路４０に沿って移動する。経路４０の直線部分の幅は他の部分よりも狭くなっており、これにより、下型ダイプレート３１の上下方向の振動が抑制される。
【００７６】
また、経路４０は閉じているので、仮に下型ダイプレート３１と下型用無限軌道１９との連結部に破損が生じたとしても、下型ダイプレート３１が回転金型装置１から飛び出してしまうことはない。
【００７７】
また、カムフォロア３８は、ガイドプレート３９の表面に略密着する。これにより、下型ダイプレート３１の左右方向の移動が規制され、左右方向の振動が抑制される。
【００７８】
図１４Ｃ、図１４Ｄはカムフォロア３７が経路４０に挿入された状態を示している。図に示す様にカムフォロア３８はガイドプレート３９に略密着する様に設置されるのに対し、カムフォロア３７はある程度大きな隙間を持って経路４０内に組込まれているのは、図１５で示す様にある程度のチェーン１４の上下振幅は避けられず、経路４０に沿ってカムフォロア３７をスムーズに移動させるためには、カムフォロア３７の多少の上下方向の振動は許容する必要があるからである。
【００７９】
尚、ガイドプレート３９の一部３９ａは、装置組立後も簡単に外せる構造になっていて、ここから下型ダイプレート３１を出し入れすることができる。
【００８０】
ここでは下型用回転金型機構２００のみを示したが、上型用回転金型機構１００も同じ構造である。すなわち、上型パンチプレート２３が取り付けられる上型取付板２１も同様にカムフォロア３７、３８を備えており、上型パンチプレート２３の上下左右方向の振動が抑制される。また、言うまでもなく、ガイドプレート３９は、前プレート１０１、２０１と後プレート１０２、２０２の内側にそれぞれ対称に取り付けられている。
【００８１】
上記構造をさらに備えたことによって、上型パンチプレート２３と下型ダイプレート３１とは、相互に略安定した姿勢で走行することが出来、最終的にはガイドピン３２とガイドブシュ２８で位置決めされて、成形加工をさらに安定して行うことが出来る。
【００８２】
続いて、本実施形態に係る回転金型装置１を生産設備に適用した例について説明する。
【００８３】
図１７は、回転金型装置１を材料を連続的に送りながらロール１〜３によって加工するロール成形装置に直結して、材料を連続的に送りながら加工をする例の模式図である。この例によれば一定断面をもつロール成形品に、プレス加工による絞りや抜きの形状を追加工した複合形状の製品を、材料を止めること無しに連続的に生産することが可能である。
【００８４】
また、図１８は、図１７の生産設備で生産できる製品形状の例である。尚、この例では切断工程は図示していない。
【００８５】
図１７、図１８はロール成形の後に続けて回転金型装置１で加工する例であるが、逆に回転金型装置１を先にしてブランク材に抜き、絞り、刻印等の通常プレスで行う加工を行ってから、続けて連続的にロール成形装置を通して一定断面の形状を付加することも出来る。結局、回転金型装置１とロール成形は両方ともに材料を止めることなく連続的に送りながら成形出来るので、これらを並べて材料を成形する工程の順番は任意に設定できる。また、それぞれ複数台の組み合わせも可能であり多様な形状の製品の生産に対応できる。
【００８６】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【００８７】
１７    上型用無限軌道（第１の無限軌道）
１８    材料押さえ部（第１の押さえ部）
１９    下型用無限軌道（第２の無限軌道）
２０    材料ガイド（第２の押さえ部）
２３    上型パンチプレート（第１の金型）
３１    下型ダイプレート（第２の金型）
３５ａ  上型用固定カム（第１の固定カム）
２４ａ  上型駆動用カム（第１の駆動用カム）
３６ｂ  下型用固定カム（第２の固定カム）
２４ｂ  下型駆動用カム（第２の駆動用カム）
【図１１】
2015085373.tif 000003
【図１２】
2015085373.tif 000004
【図１３Ａ】
2015085373.tif 000005
【図１３Ｂ】
2015085373.tif 000006
【図１７】
2015085373.tif 000007
【図１Ａ】
2015085373.tif 000008
【図１Ｂ】
2015085373.tif 000009
【図１Ｃ】
2015085373.tif 000010
【図２Ａ】
2015085373.tif 000011
【図２Ｂ】
2015085373.tif 000012
【図３】
2015085373.tif 000013
【図４Ａ】
2015085373.tif 000014
【図４Ｂ】
2015085373.tif 000015
【図５Ａ】
2015085373.tif 000016
【図５Ｂ】
2015085373.tif 000017
【図６】
2015085373.tif 000018
【図７Ａ】
2015085373.tif 000019
【図７Ｂ】
2015085373.tif 000020
【図８Ａ】
2015085373.tif 000021
【図８Ｂ】
2015085373.tif 000022
【図９Ａ】
2015085373.tif 000023
【図９Ｂ】
2015085373.tif 000024
【図１０Ａ】
2015085373.tif 000025
【図１０Ｂ】
2015085373.tif 000026
【図１４Ａ】
2015085373.tif 000027
【図１４Ｂ】
2015085373.tif 000028
【図１４Ｃ】
2015085373.tif 000029
【図１４Ｄ】
2015085373.tif 000030
【図１５】
2015085373.tif 000031
【図１６Ａ】
2015085373.tif 000032
【図１６Ｂ】
2015085373.tif 000033
【図１８】
2015085373.tif 000034